(57)【特許請求の範囲】
【請求項１】
上部構造としてトラスユニットを有するインナーバルコニーであって、
インナーバルコニーの上部構造であるトラスユニットと、該トラスユニットの下方に位置しそれを支持する下部構造とを有し、
前記トラスユニットは、斜辺部と底辺部とを有する外トラスと、斜辺部と底辺部とを有する内トラスと、前記外トラスおよび前記内トラスの間を連結する連結材と、を有し、
前記下部構造は、柱で前記外トラスを支持する前部と、少なくとも壁パネルで前記内トラスを支持する後部と、を有し、
前記外トラスの底辺部は、所定の間隔離して配置された横材と、間隔をおいて配置された縦材とによって、全体としての外形形状が角材状に形成され、前記底辺部の全幅にわたる長さを持つ組立梁と、角材からなる梁とを接合して形成されることを特徴とするインナーバルコニー。
【請求項２】
請求項１において、
前記組立梁は、その直下に前記下部構造の柱が位置する部分には、上面から下面に貫通する縦材を有することを特徴とするインナーバルコニー。
【請求項３】
請求項１または請求項２において、
前記下部構造の柱は、４角柱を２つに縦割りにした形状の２本の角材を貼り合わせることによって形成され、羽子板ボルトの固定部を挟み込んでいることを特徴とするインナーバルコニー。
【請求項４】
請求項１ないし請求項３のいずれかにおいて、
前記トラスユニットの側面に位置する前記連結材は、所定の間隔離して配置された横材と、間隔をおいて配置された縦材とによって、全体としての外形形状が角材状に形成され、前記トラスユニットの全奥行きにわたる長さの組立梁を有することを特徴とするインナーバルコニー。
【請求項５】
請求項１〜請求項４のいずれかに記載の上部構造であるトラスユニットと下部構造とを有するインナーバルコニーの構築方法であって、
前記トラスユニットを支持する前記下部構造を構築する工程と、
外トラスと、内トラスと、前記外トラスおよび前記内トラスを連結する連結材とを有する前記トラスユニットを前記下部構造の上部に固定する工程と、
を有することを特徴とするインナーバルコニーの構築方法。
【請求項６】
請求項５において、
前記トラスユニットの前記下部構造への固定工程においては、前記トラスユニットの４箇所に取り付けられた吊り治具にクレーンの吊り部材を係合させて前記トラスユニットを前記下部構造の上部に吊り降ろすことを特徴とするインナーバルコニーの構築方法。
【発明の詳細な説明】
【０００１】
【発明の属する技術分野】
本発明は、上部構造としてトラスユニットを用いたインナーバルコニーおよびその構築構築方法に関する。
【０００２】
【関連技術および発明が解決しようとする課題】
従来、インナーバルコニーは、その上部構造の構築を含めて現場施工によって構築されており、また、その構造は、家屋の他の部分とは異なる部分が多いため、構築に多くの工数を要するという問題点があった。
【０００３】
さらに、壁式構造法においては耐力壁を確保する必要があるため、大きな開口部が期待されるインナーバルコニーにおいて、十分な開口部の大きさが確保できないという問題点もあった。
【０００４】
本発明は、このような問題点を解決するためになされたものであって、その目的は、構築が容易で、現場施工の工数を削減することができるインナーバルコニーおよびその構築方法を提供することにある。
【０００５】
また、本発明の他の目的は、上部構造との間に十分な大きさの開口部を容易に形成することが可能なインナーバルコニーを提供することにある。
【０００６】
【課題を解決するための手段】
以下、本欄においては、上記目的を達成するための手段を、本願の各請求項の各構成要件に対して、本願の実施の形態の符号を対応させて説明する。
【０００７】
請求項１に記載の発明に係るインナーバルコニー１０は、
上部構造としてトラスユニット１６を有するインナーバルコニーであって、
インナーバルコニー１０の上部構造であるトラスユニット１６と、該トラスユニットの下方に位置しそれを支持する下部構造８４とを有し、
前記トラスユニットは、斜辺部２４と底辺部２８とを有する外トラス２０と、斜辺部５８と底辺部６４とを有する内トラス５２と、前記外トラスおよび前記内トラスの間を連結する連結材７０，７４と、を有し、
前記下部構造は、柱９４で前記外トラスを支持する前部と、少なくとも壁パネル１１４で前記内トラスを支持する後部と、を有し、
前記外トラスの底辺部は、所定の間隔離して配置された横材３８と、間隔をおいて配置された縦材４０とによって、全体としての外形形状が角材状に形成され、前記底辺部の全幅にわたる長さを持つ組立梁３６と、角材からなる梁３２とを接合して形成されることを特徴とする。
【０００８】
請求項１の発明によれば、外トラス、内トラス、および連結材を含んで構成されるトラスユニットと、それを柱および壁パネルによって支持する下部構造を含んでインナーバルコニーが構成される。したがって、予め製作されたトラスユニットを下部構造上に配置し、固定することによって、インナーバルコニーを得ることができ、現場施工の工数を削減することができる。また、下部構造には柱が用いられているため、上方のトラスユニットとの間に開口部を容易に形成することができる。さらに、下部構造の後部には、壁パネルも適宜用いられているため、家屋全体としての耐力壁線を確保することができる。
【０００９】
【００１０】
また、外トラスの底辺部は、所定の間隔離して配置された横材と、間隔をおいて配置された縦材とによって、全体としての外形形状が角材状に形成された組立梁を角材からなる梁の上部または下部に有している。したがって、底辺部全体の重量を大幅に増加させることなく、底辺部の高さ方向の厚さを増すことができ、意匠上好ましい壁面を形成することが可能となる。また、サッシ枠等を取り付けるためにも十分な高さ方向の厚さを確保することができる。
【００１１】
請求項２は、請求項１に記載の発明に係るインナーバルコニーにおいて、
前記組立梁は、その直下に前記下部構造の柱が位置する部分には、上面から下面に貫通する縦材４０を有することを特徴とするインナーバルコニーの発明を定義している。
【００１２】
請求項２の発明によれば、外トラスの底辺部の一部を成す組立梁は、直下に柱が位置する部分には、その上面から下面に貫通する縦材を使用している。したがって、この組立梁は、柱からの支持力を分散させることなく、トラスユニットの他の部分に伝達することができる。また、柱からの支持力に十分に耐えることができる。
【００１３】
請求項３は、請求項１または請求項２の発明に係るインナーバルコニーにおいて、
前記下部構造の柱は、４角柱を２つに縦割りにした形状の２本の角材９６を貼り合わせることによって形成され、羽子板ボルト１０２の固定部１０４を挟み込んでいることを特徴とするインナーバルコニーの発明を定義している。
【００１４】
請求項３の発明によれば、羽子板ボルトの固定部を柱の内部に隠し、下部構造の柱の中央から羽子板ボルトのボルト部を突出させることができる。したがって、柱の側面に羽子板ボルトの固定部が露出することがないため、美観上優れた柱となるばかりでなく、ボルト部を固定部を介して十分な取付強度を持って柱に取り付けることができる。また、ボルト部をトラスユニットの底辺部に貫通させてナット等で締め付けた際には、その緊結力が柱の真上にかかり、トラスユニットの底辺部に対して不必要な剪断力成分を生じることがない。
【００１５】
請求項４は、請求項１ないし請求項３のいずれかに記載の発明に係るインナーバルコニーにおいて、
前記トラスユニットの側面に位置する前記連結材は、所定の間隔離して配置された横材７８と、間隔をおいて配置された縦材７６とによって、全体としての外形形状が角材状に形成され、前記トラスユニットの全奥行きにわたる長さの組立梁を有することを特徴とするインナーバルコニーの発明を定義している。
【００１６】
請求項４に記載の発明によれば、トラスユニットの側面に位置する連結材は、中空部を有する組立梁であり、トラスユニットの全奥行きにわたる長さを有している。したがって、所定の高さ方向の厚さを有する連結材を、比較的軽量で実現できる。しかも、トラスユニットから隣接する家屋構造への方向の水平方向の応力にも十分に耐えることができる。
【００１７】
請求項５の発明に係るインナーバルコニーの構築方法は、
請求項１〜請求項４のいずれかに記載の上部構造であるトラスユニット１６と下部構造８４とを有するインナーバルコニー１０の構築方法であって、
前記トラスユニットを支持する前記下部構造を構築する工程と、
外トラス２０と、内トラス５２と、前記外トラスおよび前記内トラスを連結する連結材７０，７４とを有する前記トラスユニットを前記下部構造の上部に固定する工程と、
を有することを特徴とする。
【００１８】
請求項５に記載の発明によれば、柱および壁パネルによってトラスユニットを支持する下部構造を構築し、トラスユニットをその上部に固定することによって、インナーバルコニーが構築される。したがって、少ない現場施工の工数でインナーバルコニーを構築することができる。
【００１９】
請求項６は、請求項５の発明に係るインナーバルコニーの構築方法において、
前記トラスユニットの前記下部構造への固定工程においては、前記トラスユニットの４箇所に取り付けられた吊り治具１３０にクレーンの吊り部材を係合させて前記トラスユニットを前記下部構造の上部に吊り降ろすことを特徴とするインナーバルコニーの構築方法の発明を定義している。
【００２０】
請求項６に記載の発明によれば、トラスユニットをクレーンによって吊り降ろして、下部構造上に固定することができる。したがって、少ない現場施工の工数で、しかも、安全にインナーバルコニーを構築することができる。
【００２１】
【発明の実施の形態】
以下、本発明の好適な実施例について、図面を参照しながら、さらに具体的に説明する。
【００２２】
図１は、本実施例のインナーバルコニー１０を、屋根材、仕上げ材等が取り付けられる前の状態として示した斜視図である。この図に示すように、本実施例のインナーバルコニー１０は、トラスを利用した構造を有し、インナーバルコニーの上部を形成するトラスユニット１６と、トラスユニット１６の下方に位置してトラスユニット１６を支持する下部構造８４とを含んで構成される。
【００２３】
トラスユニット１６は、図１に示すように、外トラス２０、内トラス５２、および外トラス２０と内トラス５２との間を連結する連結材７０，７４を含んで構成され、全体として３角柱の形状を有しており、その最も広い四角形の面を下にした状態で下部構造８４の上に設置されている。なお、このトラスユニット１６は予め工場で製作される。したがって、トラスユニット１６を下部構造８４の上に配置し、固定することによって、インナーバルコニー１０を得ることができ、現場施工の工数を削減することができる。
【００２４】
外トラス２０は、全体として３角形の形状を有しており、２本の斜辺部２４、底辺部、およびそれぞれの間を連結するガセット板４８を含んで構成される。その底辺部２８は、その一部を図２に分解斜視図として示したように、通常の角材例えば集成材でできた梁３２と、組立梁３６とを接合して形成される。
【００２５】
この組立梁３６は、底辺部２８の全幅にわたる長さを有し、所定の間隔離して配置された横材３８と、間隔をおいて配置された縦材４０とによって、全体としての外形形状が角材状に形成され、底辺部２８の全幅にわたる長さとなっている。梁３２と組立梁３６は、図３に一部の分解斜視図として示したようにして互いに固定されて一体となった底辺部２８を形成する。すなわち、梁３２の下面３０からハンガーボルト３４を所定の深さまでねじ込み、そのハンガーボルト３４が組立梁３６の上部の横材３８に設けられた貫通孔４６を貫通するまで梁３２と組立梁３６とを近づけ、組立梁３６の内側からワッシャ４２を挟んでナット４４を締付けることによって互いに固定される。このような梁３２と組立梁３６との間の固定は複数箇所において並行して進行するように行われる。
【００２６】
このように、外トラス２０の底辺部２８の組立梁３６は、所定の間隔離して配置された横材３８と、間隔をおいて配置された縦材４０とによって、全体としての外形形状が角材状に形成された組立梁３６をその上部または下部に有している。したがって、底辺部２８全体の重量を大幅に増加させることなく、底辺部２８の高さ方向の厚さを増すことができ、意匠上好ましい壁面を形成することが可能となる。また、サッシ枠等を取り付けるためにも十分な高さ方向の厚さを確保することができる。
【００２７】
さらに、外トラス２０の底辺部２８の組立梁３６は、図１および図８に示すように、直下に柱９４が位置する部分には、その上面から下面に貫通する縦材４０を使用している。したがって、この組立梁３６は、柱９４からの支持力を分散させることなく、トラスユニット１６の他の部分に伝達することができる。また、柱９４からの支持力に十分に耐えることができる。
【００２８】
内トラス５２は、図１に示したように、外トラス２０と同様な３角形の形状を有しており、２本の斜辺部５８、底辺部６４、およびそれぞれの間を連結するガセット板４８を含んで構成される。
【００２９】
連結材７０，７４は、複数本あり、外トラス２０と内トラス５２との間に配置され、それらを連結している。なお、図１に示したように、トラスユニット１６の側面に位置する連結材７４は、所定の間隔離して配置された横材７８と、間隔をおいて配置された縦材７６とによって、全体としての外形形状が角材状に形成され、トラスユニット１６の全奥行きにわたる長さを持つ組立梁が用いられている。
【００３０】
このように、連結材７０，７４は、中空部を有する組立梁であり、トラスユニット１６の全奥行きにわたる長さを有している。したがって、所定の高さ方向の厚さを有する連結材７４を、比較的軽量で実現できる。しかも、トラスユニット１６から隣接する家屋構造への方向の水平方向の応力にも十分に耐えることができる。
【００３１】
下部構造８４は、トラスユニット１６の下方に位置し、トラスユニット１６を支持する。下部構造８４は、図１に示すように、柱９４によって主に外トラス２０を支持する前部すなわち屋外に面する側と、壁パネル１１４および柱９２によって主に内トラス５２を支持する後部すなわち隣接する家屋構造の壁部１１４を兼ねる部分とを含んで構成される。このように、下部構造８４には柱９２，９４が用いられているため、上方のトラスユニット１６との間に開口部１２０を容易に形成することができる。また、下部構造８４の後部には、壁パネル１１４も適宜用いられているため、家屋全体としての耐力壁線を確保することができる。
【００３２】
この下部構造８４の柱９２，９４は、上方に設置されるトラスユニット１６を固定するために特殊な構造を有している。すなわち、図４に一部の分解斜視図として示すように、この柱９２，９４は、４角柱を２つに縦割りにした形状の２本の角材９６を貼り合わせることによって形成され、２本の角材９６の間に羽子板ボルト１０２を挟み込んでいる。そして、羽子板ボルト１０２のボルト部１０６の大部分が、貼り合わされた柱９２，９４の上端面から突出している。このボルト部１０６は、後述するように、トラスユニット１６と下部構造８４の固定において用いられる。
【００３３】
このように、本実施例の下部構造８４の柱９２，９４は、羽子板ボルト１０２の固定部１０４を柱９２，９４の内部に隠し、柱９２，９４の中央から羽子板ボルト１０２のボルト部１０６を突出させることができる。したがって、柱９２，９４の側面に羽子板ボルト１０２の固定部１０４が露出することがないため、美観上優れた柱となるばかりでなく、ボルト部１０６を固定部１０４を介して十分な取付強度を持って柱に取り付けることができる。また、ボルト部１０６をトラスユニット１６に貫通させてナット等で締め付けた際には、その緊結力が柱の真上にかかり、トラスユニット１６の底辺部２８に対して不必要な剪断力成分を生じることがない。
【００３４】
また、図１から明らかなように、下部構造８４の前部の柱９４は、後部の柱９２よりも短くなっている。これによって、上方に位置する外トラス２０の底辺部２８の高さを大きくすることが可能となり、インナーバルコニー１０の屋外側の開口部１２０の上方と下方の壁面の意匠上のバランスを良好とすることができる。
【００３５】
ここで、本実施例のインナーバルコニー１０の構築をその工程にしたがって、説明する。
【００３６】
まず、柱９２，９４および壁パネル１１４によってトラスユニット１６を支持する前述した下部構造８４が構築される。このとき、図４で分解斜視図として示したように、下部構造の柱９２，９４の上端からは羽子板ボルト１０２のボルト部１０６が突出した状態となっている。
【００３７】
次に、前述したように外トラス２０と、内トラス５２と、外トラス２０および内トラス５２を連結する連結材７０，７４とを有するトラスユニット１６を、下部構造８４の上部に固定する。図５は、本実施例のトラスユニット１６を吊り降ろす際に使用される吊り治具１３０を示す分解斜視図である。この図に示すように吊り治具１３０は、ナット１３６が溶接された固定部１３２と、固定部１３２に螺合結合可能でクレーン等の吊り部材が係合される係合部１３４とを有する。この吊り治具１３０はトラスユニット１６から突出しない固定部１３２のみを予めトラスユニット１６に取付けておくことができるため、固定部１３２が取り付けられていてもトラスユニット１６の外形からの突出部がない。したがって、トラスユニット１６の運搬等の際に好都合である。しかも、係合部１３４は現場で容易にその固定部１３２に螺合結合させることができる。本実施例のトラスユニット１６には、この固定部１３２が、図６に示したように、トラスユニット１６の４箇所、すなわち、外トラス２０の斜辺部２４の内側面と内トラス５２の斜辺部５８の内側面とに取り付けられている。トラスユニット１６は、図７に示したように、これらの固定部１３２に係合部１３４を螺合結合させた吊り治具１３０の係合部１３４にクレーン等の吊り部材１４２が係合されて、下部構造８４の上に吊り降ろされて固定される。
【００３８】
そして、トラスユニット１６の下部構造８４への固定は次のように行われる。
【００３９】
前述したように、下部構造８４のそれぞれの柱９２，９４からは、羽子板ボルト１０２のボルト部１０６が突出している。このボルト部１０６は、上述したトラスユニット１６の吊り降ろしの際に、外トラス２０および内トラス５２の底辺部２８，６４に設けられた貫通孔を貫通するように、トラスユニット１６が吊り降ろされる。図８は、下部構造８４の前部の柱９４から突出しているボルト部１０６が、外トラス２０の底辺部２８の組立梁３６の貫通孔６６を貫通する状態を分解斜視図として示している。このボルト部１０６はさらに上方に位置する図１に示した梁３２の貫通孔（図示せず）も貫通し、その上部でナット締めされる。他の各柱９２，９４から突出しているボルト部１０６も同様に、外トラス２０または内トラス５２の底辺部２８，６４を貫通し、底辺部２８，６４の上部からナット締めされる。図９は、図１に２点鎖線で囲んだ領域付近の詳細を分解斜視図として示しており、下部構造８４の後部の柱９２から突出するボルト部１０６が、内トラス５２の底辺部６４を貫通する前の状態を示している。
【００４０】
さらに、トラスユニット１６は、隣接する家屋構造の壁部１６４に固定されて、屋外側への倒れ込みが防止される。図１０は、図１の２点鎖線で示した部分を矢印Ａの方向から見た状態を示す分解斜視図である。この図に示すように、内トラス５２の底辺部６４には、図１１（Ａ）にも斜視図として示したハンガーボルト１５０が予め所定の位置までねじ込まれている。トラスユニット１６の底辺部６４が、下部構造８４の壁パネル１１４の上部に設置された後に、このハンガーボルト１５０と係合する取付部材１５８（図１１（Ｂ））は、図１０に２点鎖線で示すように、ハンガーボルト１５０がその開口部１６０を貫通する状態で、隣接する家屋構造の壁部１６４の所定の位置に釘等で取り付けられる。その後、取付部材１５８の開口部１６０から突出しているハンガーボルト１５０がナット１５４によって締め付けられる。なお、ハンガーボルト１５０には、図示したように、ストッパー１５２が設けられているため、前述したように、ハンガーボルト１５０が底辺部６４に所定の位置までねじ込まれており、取付部材１５８が壁部１６４の所定の位置に取り付けられていれば、ナット１５４を締め付けて、取付部材１５８をストッパー１５２に当接させることによって、トラスユニット１６を壁部１６４に対して所定の水平位置に固定することができる。
【００４１】
上記のように、本実施例のインナーバルコニー１０は、柱９２，９４および壁パネル１１４によってトラスユニット１６を支持する下部構造８４を構築し、トラスユニット１６をその上部に固定することによって構築される。したがって、少ない現場施工の工数でインナーバルコニー１０を構築することができる。また、トラスユニット１６はクレーンによって吊り降ろされて下部構造８４の上に設置されるため、人手のみによる場合に比し安全にインナーバルコニー１０を構築することができる。
【００４２】
以上、本発明の実施例を説明したが、本発明は前述した各実施例に限定されるものではなく、本発明の要旨の範囲内または特許請求の範囲の均等範囲内で各種の変形実施が可能である。
【００４３】
例えば、吊り治具１３０は必ずしも上記実施例に示したように固定部１３２と係合部１３４が分離可能なものでなくともよく、固定部１３２と係合部１３４が一体に形成されたものを用いてもよい。
【００４４】
また、本実施例のトラスユニット１６の外トラス２０の底辺部２８は、内トラス５２の底辺部６４より上下方向の厚さが厚く、それに対応して、下部構造８４の前部の柱９４は下部構造８４の後部の後部の柱９２より短くなっているが、必ずしもこれに限らず、外トラス２０の底辺部２８の上下方向の厚さと内トラス５２のそれとを同一にしてもよいし、また、逆に外トラス２０の底辺部２８の上下方向の厚さを内トラス５２のそれよりも薄くしてもよい。なお、それにともなって、下部構造８４の前部および後部の柱９４，９２等の高さの関係も対応させる必要があることは言うまでもない。
【００４５】
【発明の効果】
請求項１の発明によれば、予め製作されたトラスユニットを下部構造上に配置し、固定することによって、インナーバルコニーを得ることができ、現場施工の工数を削減することができる。また、下部構造には柱が用いられているため、上方のトラスユニットとの間に開口部を容易に形成することができる。さらに、下部構造の後部には、壁パネルも適宜用いられているため、家屋全体としての耐力壁線を確保することができる。
【００４６】
また、底辺部全体の重量を大幅に増加させることなく、底辺部の高さ方向の厚さを増すことができ、意匠上好ましい壁面を形成することが可能となる。また、サッシ枠等を取り付けるためにも十分な高さ方向の厚さを確保することができる。
【００４７】
請求項２の発明によれば、組立梁は、柱からの支持力を分散させることなく、トラスユニットの他の部分に伝達することができる。また、柱からの支持力に十分に耐えることができる。
【００４８】
請求項３の発明によれば、柱の側面に羽子板ボルトの固定部が露出することがないため、美観上優れた柱となるばかりでなく、十分な取付強度を持ってボルト部を固定部を介して柱に取り付けることができる。また、ボルト部をトラスユニットの底辺部に貫通させてナット等で締め付けた際には、その緊結力が柱の真上にかかり、トラスユニットの底辺部に対して不必要な剪断力成分を生じることがない。
【００４９】
請求項４に記載の発明によれば、所定の高さ方向の厚さを有する連結材を、比較的軽量で実現できる。しかも、トラスユニットから隣接する家屋構造への方向の水平方向の応力にも十分に耐えることができる。
【００５０】
請求項５に記載の発明によれば、少ない現場施工の工数でインナーバルコニーを構築することができる。
【００５１】
請求項６に記載の発明によれば、少ない現場施工の工数で、しかも、安全にインナーバルコニーを構築することができる。
【図面の簡単な説明】
【図１】実施例のインナーバルコニーを、屋根材、仕上げ材等が取り付けられる前の状態として示した斜視図である。
【図２】外トラスの底辺部の一部を示す分解斜視図である。
【図３】外トラスの底辺部の梁と組立梁との間の固定の状態を示す分解斜視図である。
【図４】下部構造の柱の分解斜視図である。
【図５】実施例のトラスユニットを吊り降ろす際に使用される吊り治具を示す分解斜視図である。
【図６】吊り治具の固定部がトラスユニットに取り付けられた状態を示す斜視図である。
【図７】トラスユニットを吊り降ろす状態を示す斜視図である。
【図８】柱から突出するボルトが外トラスの底辺部の組立梁を貫通する状態を示す分解斜視図である。
【図９】図１に２点鎖線で示した領域付近の詳細を示す分解斜視図である。
【図１０】トラスユニットを隣接する家屋構造への固定を、図１の２点鎖線で示した部分を矢印Ａの方向から見た分解斜視図として示す図である。
【図１１】（Ａ）は、トラスユニットを隣接する家屋構造への固定に用いられるハンガーボルトの斜視図である。（Ｂ）は、そのハンガーボルトと係合する取付部材の斜視図である。
【符号の説明】
１０  インナーバルコニー
１６  トラスユニット
２０  外トラス
２４，５８  斜辺部
２８，６４  底辺部
３６  組立梁
３８  横材
４０  縦材
５２  内トラス
７０，７４  連結材
７６  縦材
７８  横材
８４  下部構造
９２，９４  柱
９６  角材
１０２  羽子板ボルト
１０４  固定部
１３０  吊り治具
【図１】
0003606986.tif 000002
【図２】
0003606986.tif 000003
【図３】
0003606986.tif 000004
【図４】
0003606986.tif 000005
【図５】
0003606986.tif 000006
【図６】
0003606986.tif 000007
【図７】
0003606986.tif 000008
【図８】
0003606986.tif 000009
【図９】
0003606986.tif 000010
【図１０】
0003606986.tif 000011
【図１１】
0003606986.tif 000012